Podtech/llm-jp-corpus-v4-ja_patent huggingface dataset:
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
オリジナル音声信号のインターバルの第１クラスに第１識別子を割り当て、前記オリジナル音声信号のインターバルの第２クラスに第２識別子を割り当て、
前記オリジナル信号をウインドゥイングして複数のピッチベルを用意し、
割り当てられた前記第１識別子を有するピッチベルを処理して前記音声信号の時間幅を調整し、
処理されたピッチベルに重畳及び加え合わせ操作を実行する、
音声信号の合成方法。
【請求項２】
前記インターバルの第１クラスがステッディインターバルである、請求項１に記載の方法。
【請求項３】
前記第１識別子として第１コード又は第２コードが用いられ、前記第コードが非発声インターバルを表し、前記第２コードが発声インターバルを表す、請求項１又は２に記載の方法。
【請求項４】
前記インターバルの第２クラスがダイナミックインターバルである、請求項１ないし３のいずれか１項に記載の方法。
【請求項５】
前記第２識別子として第３コード、第４コード、第５コード、又は第６コードが用いられ、前記第３コードは音声信号の明瞭性に対して不可欠な非発声インターバルを表し、前記第４コードは音声信号の明瞭性に対して不可欠な発声インターバルを表し、前記第５コードは音声信号の明瞭性に対して不可欠なものではない非発声インターバルを表し、前記第６コードは音声信号の明瞭性に対して不可欠なものではない発声インターバルを表す、  請求項１ないし４のいずれか１項に記載の方法。
【請求項６】
前記第５又は第６コードに割り当てられたピッチベルが任意に削除される、請求項５に記載の方法。
【請求項７】
前記音声信号のウインドゥイングのために二乗コサイン関数が用いられる、請求項１ないし６のいずれか１項に記載の方法。
【請求項８】
前記音声信号の非発声ステッディインターバルのウインドゥイングのためにサインウインドウが用いられる、請求項１ないし７のいずれか１項に記載の方法。
【請求項９】
さらに、前記重畳及び加え合わせ操作を実行する前に、非発声ステッディ周期のピッチベルを無作為化する、請求項１ないし７のいずれか１項に記載の方法。
【請求項１０】
前記ウインドゥイングが、前記音声信号の基本周波数と同期して位置するウインドウ手段によって実行される、請求項１ないし９のいずれか１項に記載の方法。
【請求項１１】
オリジナル音声信号の時間幅を調整するために、
オリジナル音声信号のインターバルの第１クラスに第１識別子を割り当て、前記オリジナル音声信号のインターバルの第２クラスに第２識別子を割り当てる処理ステップと、
前記オリジナル信号をウインドゥイングして複数のピッチベルを用意する処理ステップと、
割り当てられた前記第１識別子を有するピッチベルを処理して前記音声信号の時間幅を調整する処理ステップと、
処理されたピッチベルに重畳及び加え合わせ操作を施す処理ステップと、
を実行するためのプログラム手段を備えた、
ディジタル記憶媒体のようなコンピュータプログラム。
【請求項１２】
音声信号を保存する手段と、
オリジナル音声信号のインターバルの第１クラスに割り当てられた第１識別子を記憶し、オリジナル音声信号のインターバルの第２クラスに割り当てられた第２識別子を記憶する手段と、
前記オリジナル信号をウインドゥイングして複数のピッチベルを用意する手段と、
割り当てられた前記第１識別子を有するピッチベルを処理して前記音声信号の時間幅を調整する処理手段と、
処理されたピッチベルに重畳及び加え合わせ操作を施す手段と、
を備えた、コンピュータシステム、特にテキスト／音声変換システム。
【請求項１３】
重畳され加え合わせされた複数のピッチベルからなる合成音声信号であって、オリジナル音声信号の時間幅調整を実行するために、前記オリジナル音声信号のステッディ発声インターバル又はステッディ非発声インターバルのピッチベルのみが処理されている、合成音声信号。
【請求項１４】
重畳及び加え合わせ操作の前に、ダイナミック発声又は非発声インターバルに属する１つ又はそれ以上のピッチベルが削除されている、請求項１３に記載の音声信号。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2005539026.tif 000001
［式中：
ＡがＮであり、ＤがＣ（Ｒ２）であるかのいずれかであり；
Ｒ１は、水素、Ｃ１−６アルキル、Ｃ１−６アルケニル、Ｃ１−６アルコキシ、ハロ、シアノ、ペルフルオロＣ１−６アルキル、ペルフルオロＣ１−６アルコキシ、−ＮＲ３Ｒ４、−（ＣＨ２）ｎＮＲ３Ｒ４、−Ｏ（ＣＨ２）ｎＯＲ５、−Ｏ（ＣＨ２）ｎＮＲ３Ｒ４、−Ｏ（ＣＨ２）ｎＨｅｔ、−ＣＯＮＲ３Ｒ４、−ＣＯ（ＣＨ２）ｎＮＲ３Ｒ４、−ＳＯ２Ｒ５、−ＳＯ２ＮＲ３Ｒ４、−ＮＲ３ＳＯ２Ｒ５、−ＮＲ３ＣＯＲ５、−ＮＲ３ＣＯ（ＣＨ２）ｎＮＲ３Ｒ４、Ｈｅｔおよび−Ｏ（ＣＨ２）ｎＣＯＮＲ３Ｒ４から選択され；
Ｒ２は、水素またはＣ１−４アルキルであり；
Ｒ３およびＲ４は、独立して、水素、Ｃ１−６アルキル、ＨｅｔまたはＣ１−４アルコキシＣ１−４アルキルから選択されるか；あるいは、Ｒ３およびＲ４は、それらが結合している窒素原子と一緒になって、Ｎ、ＳまたはＯから選択される１個またはそれ以上のヘテロ原子を含有していてもよい、３、４、５、６または７員の飽和または不飽和環を形成し、該環は、さらに、ハロ（例えば、フルオロ、クロロ、ブロモ）、−ＣＮ、−ＣＦ３、−ＯＨ、−ＯＣＦ３、Ｃ１−６アルキルおよびＣ１−６アルコキシでありから選択される１個またはそれ以上の置換基により置換されていてもよく；
Ｒ５は水素またはＣ１−６アルキルであり；
Ｈｅｔは、飽和、不飽和または芳香族であってもよく、Ｎ、ＳまたはＯから選択される１個またはそれ以上のヘテロ原子を含有していてもよく、Ｃ１−６アルキルにより置換されていてもよい、５または６員のＣ−結合ヘテロサイクリル基であり；
ｎが１〜４である］
で示される化合物、またはその医薬上許容される塩、溶媒和物もしくは誘導体。
【請求項２】
Ｒ１が、Ｃ１−６アルコキシ、ハロ、シアノ、ペルフルオロＣ１−６アルコキシ、−ＮＲ３Ｒ４、−（ＣＨ２）ｎＮＲ３Ｒ４、−Ｏ（ＣＨ２）ｎＮＲ３Ｒ４、−Ｏ（ＣＨ２）ｎＨｅｔ、−ＣＯＮＲ３Ｒ４、−ＳＯ２Ｒ５、−ＮＲ３ＣＯ（ＣＨ２）ｎＮＲ３Ｒ４、Ｈｅｔまたは−Ｏ（ＣＨ２）ｎＣＯＮＲ３Ｒ４である、請求項１記載の化合物。
【請求項３】
Ｒ３およびＲ４が、独立して、水素、メチル、ＨｅｔまたはＣ１−４アルコキシＣ１−４アルキルであるか；あるいは、Ｒ３およびＲ４が、それらが結合している原子と一緒になって、モルホリン、ピペリジン、ピロリジンまたはピペラジン環を形成する、前記請求項いずれか１項記載の化合物。
【請求項４】
ＡがＮであり、ＤがＣ（Ｒ２）であるかのいずれかであり；
Ｒ１が、Ｃ１−６アルコキシ、ハロ、シアノ、ペルフルオロＣ１−６アルコキシ、−ＮＲ３Ｒ４、−（ＣＨ２）ｎＮＲ３Ｒ４、−Ｏ（ＣＨ２）ｎＮＲ３Ｒ４、−Ｏ（ＣＨ２）ｎＨｅｔ、−ＣＯＮＲ３Ｒ４、−ＳＯ２Ｒ５、−ＮＲ３ＣＯ（ＣＨ２）ｎＮＲ３Ｒ４、Ｈｅｔまたは−Ｏ（ＣＨ２）ｎＣＯＮＲ３Ｒ４であり；
Ｒ２が水素またはメチルであり；
Ｒ３およびＲ４が、独立して、水素、メチル、ＨｅｔまたはＣ１−４アルコキシＣ１−４アルキルであるか；あるいは、Ｒ３およびＲ４は、それらが結合している窒素原子と一緒になって、モルホリン、ピペリジン、ピロリジンまたはピペラジン環を形成し、該環は、さらにハロ−ＣＮ、−ＣＦ３、−ＯＨ、−ＯＣＦ３、Ｃ１−６アルキルおよびＣ１−６アルコキシから選択される１個またはそれ以上の置換基により置換されていてもよく；
Ｒ５が水素またはＣ１−６アルキルであり；
Ｈｅｔが、飽和、不飽和または芳香族であってもよく、Ｎ、ＳまたはＯから選択されるヘテロ原子を含有していてもよく、Ｃ１−６アルキルにより置換されていてもよい、５または６員のＣ結合ヘテロサイクリル基であり；
ｎが１〜３である、
前記請求項いずれか１項記載の化合物。
【請求項５】
３−［２−（４−（（テトラヒドロピラン−４−イル）アミノカルボニル）フェニル）ピリジン−４−イル］−４−［６−メチルピリジン−２−イル］−１Ｈ−ピラゾール（実施例１８）
３−［２−（４−（（１−エチル−ピペラジン−４−イル）カルボニル）フェニル）ピリジン−４−イル］−４−［６−メチルピリジン−２−イル］−１Ｈ−ピラゾール（実施例１９）
３−［２−（４−（モルホリン−４−イル）フェニル）ピリジン−４−イル］−４−［６−メチルピリジン−２−イル］−１Ｈ−ピラゾール（実施例２０）
３−［２−（４−（（モルホリン−４−イル）メチル）フェニル）ピリジン−４−イル］−４−［６−メチルピリジン−２−イル］−１Ｈ−ピラゾール（実施例２１）
３−［２−（４−（２−（ピロリジン−１−イル）エトキシ）フェニル）ピリジン−４−イル］−４−［６−メチルピリジン−２−イル］−１Ｈ−ピラゾール（実施例２２）；および
３−［２−（４−（（モルホリン−４−イル）カルボニルメチルオキシ）フェニル）ピリジン−４−イル］−４−［６−メチルピリジン−２−イル］−１Ｈ−ピラゾール（実施例２３）
から選択される請求項１記載の化合物またはその医薬上許容される塩、溶媒和物もしくは誘導体。
【請求項６】
前記請求項いずれか１項記載の化合物および医薬上許容される担体または希釈剤を含む、医薬組成物。
【請求項７】
哺乳類におけるＡＬＫ５受容体により介在される障害の治療または予防用の医薬の製造における、請求項１〜５いずれか１項記載の化合物の使用。
【請求項８】
障害が、慢性腎疾患、急性腎疾患、創傷治癒、関節炎、骨粗鬆症、腎疾患、鬱血性心不全、胃潰瘍、目の障害、角膜創、糖尿病性ネフロパシー、神経機能障害、アルツハイマー病、アテローム性動脈硬化症、腹膜癒着および皮下癒着、限定するものではないが、肺線維症、腎臓線維症、肝臓線維症［例えば、Ｂ型肝炎ウイルス（ＨＢＶ）、Ｃ型肝炎ウイルス（ＨＣＶ）］、アルコール性肝炎、後腹膜線維症、腸間膜線維症、ヘモクロマトーシスおよび原発性胆汁性肝硬変、子宮内膜症、ケロイドおよび再狭窄を含む、線維症が主要要因である疾患から選択される、請求項７記載の使用。
【請求項９】
医薬として用いるための請求項１〜５いずれか１項記載の化合物。
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
ＴＰＯ模倣化合物を有効成分として含んでなる、被験体における造血幹細胞産生の増大用製薬学的製剤であって、被験体に該ＴＰＯ模倣化合物が投与されることを特徴とする製剤。
【請求項２】
ＴＰＯ模倣化合物を有効成分として含んでなる被験体への造血幹細胞の提供用製薬学的製剤であって、
該ＴＰＯ模倣化合物が被験体に投与されて骨髄内の幹細胞集団の拡張が高められそして／若しくは末梢循環中の幹細胞が動員され、
骨髄幹細胞若しくは末梢循環中の幹細胞の１個若しくはそれ以上が収集され、次いで
収集した幹細胞が被験体に移植されるものであることを特徴とする製剤。
【請求項３】
被験体がヒトである、請求項１および２に記載の製剤。
【請求項４】
１個若しくはそれ以上の幹細胞が収集後に低温保存される、請求項２に記載の製剤。
【請求項５】
１個若しくはそれ以上の低温保存された幹細胞が、被験体に該幹細胞を移植する前に融解されかつ生存可能であることが決定される、請求項４に記載の製剤。
【請求項６】
１個若しくはそれ以上の幹細胞が、被験体がこうした移植を必要とする場合に被験体に移植される、請求項４に記載の製剤。
【請求項７】
ＴＰＯ模倣化合物がｒｈＴＰＯおよびｒｈＩＬ−１１の１種若しくはそれ以上に関して低下された免疫原性を有する、請求項１および２に記載の製剤。
【請求項８】
ＴＰＯ模倣化合物が、ｒｈＴＰＯおよびｒｈＩＬ−１１の１種若しくはそれ以上に関して改善されたＰＫプロファイルを有する、請求項１および２に記載の製剤。
【請求項９】
ＴＰＯ模倣化合物を有効成分として含んでなる被験体における幹細胞の再注入後の生着までの時間の短縮用製薬学的製剤であって、
該ＴＰＯ模倣化合物が被験体に投与されて骨髄内の幹細胞集団の拡張が高められ、そして／若しくは末梢循環中の幹細胞が動員され、
骨髄幹細胞の１個若しくはそれ以上または末梢循環中の幹細胞の１個若しくはそれ以上が収集され、次いで
１個若しくはそれ以上の収集した幹細胞が被験体に移植されるものであることを特徴とする製剤。
【請求項１０】
ＴＰＯ模倣化合物を有効成分として含んでなる遅延された一次生着の発生率の低下用製薬学的製剤であって、
該ＴＰＯ模倣化合物が被験体に投与されて骨髄内の幹細胞集団の拡張が高められそして／若しくは末梢循環中の幹細胞が動員され、骨髄幹細胞の１個若しくはそれ以上または末梢循環中の幹細胞の１個若しくはそれ以上が収集され、次いで
１個若しくはそれ以上の収集した幹細胞が被験体に移植されるものであることを特徴とする製剤。
【請求項１１】
ＴＰＯ模倣化合物を有効成分として含んで成る血小板産生の二次失敗の発生率の低下用製薬学的製剤であって、
該ＴＰＯ模倣化合物が被験体に投与されて骨髄内の幹細胞集団の拡張が高められそして／若しくは末梢循環中の幹細胞が動員され、
骨髄幹細胞の１個若しくはそれ以上または末梢循環中の幹細胞の１個若しくはそれ以上が収集され、次いで
１個若しくはそれ以上の収集した幹細胞が被験体に移植されるものであることを特徴とする製剤。
【請求項１２】
ＴＰＯ模倣化合物を有効成分として含んでなる被験体における幹細胞の再注入後の血小板および／若しくは好中球生着の時間の短縮用製薬学的製剤であって、
該ＴＰＯ模倣化合物が被験体に投与されて骨髄内の幹細胞集団の拡張が高められそして／若しくは末梢循環中の幹細胞が動員され、
骨髄幹細胞の１個若しくはそれ以上、または末梢循環中の幹細胞の１個若しくはそれ以上が収集され、次いで
１個若しくはそれ以上の収集した幹細胞が被験体に移植されるものであることを特徴とする製剤。
【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
式：
【化１】
2005539088.tif 000001
式Ｉ
［式中、
「A」は、
【化２】
2005539088.tif 000002
を表す；
「B」は、
【化３】
2005539088.tif 000003
を表す；および
【化４】
2005539088.tif 000004
は、R1〜R3の少なくとも1つにおいて非水素置換基を有するベンゾ縮合複素環（ここで、非水素置換基を有するベンゾ縮合複素環は、
【化５】
2005539088.tif 000005
を表す）を表す；
XおよびYは一緒になって、−CH2−CH2−、−CH2−O−または−O−CH2−を表す；
【化６】
2005539088.tif 000006
は、二重結合を表す；
R4〜R7はそれぞれ独立して、水素、ヒドロキシ、ハロ、(C1−C6)アルキル、(C1−C6)アルコキシまたはOR14(ここで、R14は、(C1−C4)アルキル−アリール、(C1−C4)アルキル−置換アリール、(C1−C4)アルキル−複素環または(C1−C4)アルキル−(C3−C7)シクロアルキルを表す)を表す；
R8は、水素、ハロ、(C1−C6)アルキル、ヒドロキシメチル、(C1−C4)アルキル−(C1−C6)アルコキシまたはCOR12（ここで、R12は、(C1−C6)アルコキシ、(C3−C7)シクロアルキル、フェニルまたは置換アリールを表す)を表す］
で示される新規な式Ｉの化合物またはその医薬的に許容しうる塩。
【請求項２】
【化７】
2005539088.tif 000007
が、R1〜R3の少なくとも1つにおいて非水素置換基を有するベンゾ縮合複素環（ここで、非水素置換基を有するベンゾ縮合複素環は、
【化８】
2005539088.tif 000008
を表す）を表す請求項１に記載の化合物またはその医薬的に許容しうる塩。
【請求項３】
式：
【化９】
2005539088.tif 000009
である化合物またはその医薬的に許容しうる塩。
【請求項４】
収縮期または拡張期鬱血性心不全または高血圧の治療用医薬の製造のための、請求項１に記載の化合物の使用。
【請求項５】
収縮期または拡張期鬱血性心不全または高血圧の治療用医薬の製造のための、式：
【化１０】
2005539088.tif 000010
で表される化合物またはその医薬的に許容しうる塩の使用。
【手続補正２】
【補正対象書類名】明細書
【補正対象項目名】００９３
【補正方法】変更
【補正の内容】
【００９３】
(i)「C」は、以下のアリール、複素環またはベンゾ縮合複素環から選ばれる
2005539088.tif 000011
(or＝または)；
(j)「C」は、下記：
2005539088.tif 000012
を表す(or＝または)；
【手続補正３】
【補正対象書類名】明細書
【補正対象項目名】０１６９
【補正方法】変更
【補正の内容】
【０１６９】
【表６】
2005539088.tif 000013
【表７】
2005539088.tif 000014
【表８】
2005539088.tif 000015
【表９】
2005539088.tif 000016
【表１０】
2005539088.tif 000017
【手続補正４】
【補正対象書類名】明細書
【補正対象項目名】０１７０
【補正方法】変更
【補正の内容】
【０１７０】
【表１１】
2005539088.tif 000018
【表１２】
2005539088.tif 000019
【表１３】
2005539088.tif 000020
【表１４】
2005539088.tif 000021
【表１５】
2005539088.tif 000022
【手続補正５】
【補正対象書類名】明細書
【補正対象項目名】０１７１
【補正方法】変更
【補正の内容】
【０１７１】
【表１６】
2005539088.tif 000023
【表１７】
2005539088.tif 000024
【表１８】
2005539088.tif 000025
【表１９】
2005539088.tif 000026
【表２０】
2005539088.tif 000027
【手続補正６】
【補正対象書類名】明細書
【補正対象項目名】０１７２
【補正方法】変更
【補正の内容】
【０１７２】
【表２１】
2005539088.tif 000028
【表２２】
2005539088.tif 000029
【表２３】
2005539088.tif 000030
【表２４】
2005539088.tif 000031
【表２５】
2005539088.tif 000032
【表２６】
2005539088.tif 000033
【表２７】
2005539088.tif 000034
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
シクロヘキサンからのシクロヘキサノンとシクロヘキサノールとの混合物の製造ならびに副生成物の回収のための方法であって、
（ｉ）シクロヘキサンを酸化して空気酸化テールを得る工程と、
（ｉｉ）前記空気酸化テールを水と接触させる工程と、
（ｉｉｉ）工程（ｉｉ）から得られた混合物を、本質的に水性成分を含む第１の相と、シクロヘキシルヒドロペルオキシドおよび有機成分を含む第２の相とに分離する工程と、
（ｉｖ）工程（ｉｉｉ）由来の有機相中の前記シクロヘキシルヒドロペルオキシドをシクロヘキサノンおよびシクロヘキサノールに分解する工程と、
（ｖ）工程（ｉｖ）において得られたシクロヘキサノールとシクロヘキサノンとの混合物を精製する工程と、
（ｖｉ）クロムを不揮発性残留物から分離する工程と
を含むことを特徴とする方法。
【手続補正２】
【補正対象書類名】明細書
【補正対象項目名】００２１
【補正方法】変更
【補正の内容】
【００２１】
ＫおよびＡは混合物として得られる。生成物（ＫおよびＡ）を酸化してアジピン酸を製造する。用いられてもよい酸化剤は硝酸である。今度は得られたアジピン酸を用いてナイロン生成物、薬剤添加剤、食品添加剤、ポリウレタン、および他の適用の母体を製造してもよい。
なお、本発明は、以下の事項を特徴とする発明である。
（１）シクロヘキサンからのシクロヘキサノンとシクロヘキサノールとの混合物の製造ならびに副生成物の回収のための方法であって、
（ｉ）シクロヘキサンを酸化して空気酸化テールを得る工程と、
（ｉｉ）前記空気酸化テールを水と接触させる工程と、
（ｉｉｉ）工程（ｉｉ）から得られた混合物を、本質的に水性成分を含む第１の相と、シクロヘキシルヒドロペルオキシドおよび有機成分を含む第２の相とに分離する工程と、
（ｉｖ）工程（ｉｉｉ）由来の有機相中の前記シクロヘキシルヒドロペルオキシドをシクロヘキサノンおよびシクロヘキサノールに分解する工程と、
（ｖ）工程（ｉｖ）において得られたシクロヘキサノールとシクロヘキサノンとの混合物を精製する工程と、
（ｖｉ）クロムを不揮発性残留物から分離する工程と
を含むことを特徴とする方法。
（２）（ｉ）不揮発性残留物または前記不揮発性残留物の有機含有量の少なくとも一部を酸性化合物と接触させる工程と、
（ｉｉ）前記不揮発性残留物または前記不揮発性残留物の有機含有量の少なくとも一部を電解質水溶液と接触させ、その後に、水性相を有機相から分離する工程と、
（ｉｉｉ）工程（ｉ）および（ｉｉ）を任意の順に繰り返す工程と
をさらに含むことを特徴とする（１）に記載の方法。
（３）ＣＨＨＰの分解が熱分解、触媒分解、または触媒水素化によって実施されることを特徴とする（１）あるいは（２）に記載の方法。
（４）ＣＨＨＰの分解が腐食性溶液中で金属触媒分解によって実施されることを特徴とする（３）に記載の方法。
（５）前記触媒がＣｏ、Ｃｒ、または両方を含むことを特徴とする（３）に記載の方法。
（６）前記触媒がＡｕおよびＰｄを含むことを特徴とする（４）に記載の方法。
（７）ＣＨＨＰの分解が、約１００℃〜約１７５℃の温度において実施されていることを特徴とする（１）あるいは（２）に記載の方法。
（８）前記シクロヘキサノールとシクロヘキサノンとの混合物の精製が蒸留によって実施されることを特徴とする（１）に記載の方法。
（９）前記空気酸化テールが水で洗浄されていることを特徴とする（１）に記載の方法。
（１０）得られたシクロヘキサノールおよびシクロヘキサノン生成物がアジピン酸を製造するために用いられることを特徴とする（１）に記載の方法。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
生体系の代謝適応能または好気的要求度を改変することができる薬剤をin vitroにおいて同定する方法であって、
a) 該生体系から得られた第１のミトコンドリア分子の合成速度または分解速度を測定する工程であって、該生体系は、第１のアイソトープ標識前駆体分子を、該第１のアイソトープ標識前駆体分子の標識が該第１のミトコンドリア分子に取り込まれるのに十分な時間にわたり投与されたものである、工程；
b) 該第１のミトコンドリア分子の合成速度または分解速度に基づいて、該生体系の第１レベルの代謝適応能または第１レベルの好気的要求度を評価する工程；
c) 該生体系から得られた第２のミトコンドリア分子の合成速度または分解速度を測定する工程であって、該生体系は、該第１のミトコンドリア分子を得た後、該薬剤と第２のアイソトープ標識前駆体分子を、該第２のアイソトープ標識前駆体分子の標識が該第２のミトコンドリア分子に取り込まれるのに十分な時間にわたり投与されたものである、工程；
ｄ) 該第２のミトコンドリア分子の合成速度または分解速度に基づいて、該生体系の第２レベルの代謝適応能または第２レベルの好気的要求度を評価する工程；
e) 該第１レベルの代謝適応能または該第１レベルの好気的要求度と該第２レベルの代謝適応能または該第２レベルの好気的要求度との間のデルタ値を測定する工程；および
f) 該デルタ値に基づいて該生体系における代謝適応能または好気的要求度を改変することができる該薬剤の効力を同定する工程、
を含む、上記方法。
【請求項２】
前記第１のミトコンドリア分子の合成速度または分解速度が、該第１のミトコンドリア分子のアイソトープ含有量、アイソトープパターン、アイソトープ含有量の変化速度またはアイソトープパターンの変化速度に基づき；そして
前記第２のミトコンドリア分子の合成速度または分解速度が、該第２のミトコンドリア分子のアイソトープ含有量、アイソトープパターン、アイソトープ含有量の変化速度またはアイソトープパターンの変化速度に基づく、請求項１記載の方法。
【請求項３】
前記生体系が哺乳動物または哺乳動物の組織である、請求項１記載の方法。
【請求項４】
前記生体系がヒトまたはヒトの組織である、請求項３記載の方法。
【請求項５】
前記生体系が非ヒトまたは非ヒトの組織である、請求項３記載の方法。
【請求項６】
前記生体系が細胞である、請求項１記載の方法。
【請求項７】
前記細胞がハイスループットスクリーニング検定系における培養細胞である、請求項６記載の方法。
【請求項８】
前記第１のミトコンドリア分子が、運動または他のトレーニング計画にさらに付された哺乳動物または哺乳動物の組織から得られ；そして
前記第２のミトコンドリア分子が、運動または他のトレーニング計画にさらに付された哺乳動物または哺乳動物の組織から得られる、請求項３記載の方法。
【請求項９】
前記第１のミトコンドリア分子が、前記運動または他のトレーニング計画の後にデコンディショニング期間にさらに付された哺乳動物または哺乳動物の組織から得られ；そして
前記第２のミトコンドリア分子が、前記運動または他のトレーニング計画の後にデコンディショニング期間にさらに付された哺乳動物または哺乳動物の組織から得られる、請求項３記載の方法。
【請求項１０】
前記第１のアイソトープ標識前駆体分子および前記第２のアイソトープ標識前駆体分子がそれぞれ安定したアイソトープで標識されている、請求項１記載の方法。
【請求項１１】
前記第１のアイソトープ標識前駆体分子および前記第２のアイソトープ標識前駆体分子が、2H標識グルコース、13C標識グルコース、2H標識アミノ酸、15N標識アミノ酸、13C標識アミノ酸、2H標識酢酸、13C標識酢酸、2H標識リボヌクレオシド、13C標識リボヌクレオシド、15N標識リボヌクレオシド、2H標識デオキシリボヌクレオシド、13C標識デオキシリボヌクレオシド、15N標識デオキシリボヌクレオシド、2H標識脂肪酸、および13C標識脂肪酸からなる群から独立して選択される、請求項１記載の方法。
【請求項１２】
前記第１のアイソトープ標識前駆体分子および前記第２のアイソトープ標識前駆体分子が、それぞれ2H2O分子である、請求項１記載の方法。
【請求項１３】
前記第１のミトコンドリア分子および第２のミトコンドリア分子が、デオキシリボ核酸（DNA）、リボ核酸（RNA）、タンパク質、または脂質からなる群から独立して選択される、請求項１記載の方法。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
殺虫剤として有効な量の殺虫性（テトラヒドロ-３-フラニル）メチルアミン誘導体を、前記殺虫剤として有効な量を溶解するのに有効な量の、水並びにフェニルメタノール又はエタノール及び乳酸エチルの組み合わせを含む溶媒成分中に溶解することによって処方される殺虫剤。
【請求項２】
前記殺虫性誘導体がジノテフランである、請求項１記載の殺虫剤。
【請求項３】
前記溶媒成分がフェニルメタノールを含む、請求項２記載の殺虫剤。
【請求項４】
前記溶媒成分がエタノール及び乳酸エチルを含む、請求項２記載の殺虫剤。
【請求項５】
前記殺虫性誘導体が処方物中に溶解されて約８〜20％の濃度となる、請求項１記載の殺虫剤。
【請求項６】
前記殺虫性誘導体が処方物中に溶解されて約８〜20％の濃度となる、請求項３記載の殺虫剤。
【請求項７】
前記殺虫性誘導体が処方物中に溶解されて約８〜20％の濃度となる、請求項４記載の殺虫剤。
【請求項８】
前記殺虫性誘導体が処方物中に溶解されて約８〜14％の濃度となる、請求項１記載の殺虫剤。
【請求項９】
乳酸エチルの濃度が約５〜20％であり、かつ、エタノールの濃度が約30〜45％である、請求項４記載の殺虫剤。
【請求項１０】
乳酸エチルの濃度が約７〜15％であり、かつ、エタノールの濃度が約30〜45％である、請求項４記載の殺虫剤。
【請求項１１】
乳酸エチルの濃度が約５〜20％であり、かつ、エタノールの濃度が約30〜45％である、請求項５記載の殺虫剤。
【請求項１２】
乳酸エチルの濃度が約５〜20％であり、かつ、エタノールの濃度が約30〜45％である、請求項６記載の殺虫剤。
【請求項１３】
前記処方物がイヌ又はネコに対して刺激性がなく、かつ、20ml未満の適用でネコのノミを殺すのに有効である、請求項１記載の殺虫剤。
【請求項１４】
前記処方物がイヌ又はネコに対して刺激性がなく、かつ、20ml未満の適用でネコのノミを殺すのに有効である、請求項２記載の殺虫剤。
【請求項１５】
前記処方物がイヌ又はネコに対して刺激性がなく、かつ、20ml未満の適用でネコのノミを殺すのに有効である、請求項３記載の殺虫剤。
【請求項１６】
前記処方物がイヌ又はネコに対して刺激性がなく、かつ、20ml未満の適用でネコのノミを殺すのに有効である、請求項４記載の殺虫剤。
【請求項１７】
水並びにフェニルメタノール又は乳酸エチル及びエタノールを含む溶媒混合物にジノテフランを溶解し、殺虫剤として有効な量の前記溶液を動物に適用することを含む、動物における虫の繁殖を制御する方法。
【請求項１８】
動物がネコ又はイヌである、請求項17記載の方法。
【請求項１９】
虫がノミである、請求項18記載の方法。
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
構造
【化１】
2005539037.tif 000001
(式中、Ｒは、Ｈまたはメチルである)を有するプロドラッグおよびその溶媒和物。
【請求項２】
４−チア−１−アザビシクロ[３.２.０]ヘプタン−２−カルボン酸，６−(ヒドロキシ
メチル)−３,３−ジメチル−７−オキソ−，−１−(ベンゾイルオキシ)−メチルエステル，４,４−ジオキシド(２Ｓ,５Ｒ,６Ｒ)；
４−チア−１−アザビシクロ[３.２.０]ヘプタン−２−カルボン酸，６−(ヒドロキシ
メチル)−３,３−ジメチル−７−オキソ−，−１−(ベンゾイルオキシ)−エチルエステル，４,４−ジオキシド(２Ｓ,５Ｒ,６Ｒ)；
４−チア−１−アザビシクロ[３.２.０]ヘプタン−２−カルボン酸，６−(ヒドロキシ
メチル)−３,３−ジメチル−７−オキソ−，(１Ｒ)−１−(ベンゾイルオキシ)エチルエステル，４,４−ジオキシド(２Ｓ,５Ｒ,６Ｒ)；および
４−チア−１−アザビシクロ[３.２.０]ヘプタン−２−カルボン酸，６−(ヒドロキシ
メチル)−３,３−ジメチル−７−オキソ−，(１Ｓ)−１−(ベンゾイルオキシ)エチルエステル，４,４−ジオキシド(２Ｓ,５Ｒ,６Ｒ)
からなる群より選ばれる請求項１に記載のプロドラッグ。
【請求項３】
構造
【化２】
2005539037.tif 000002
を有する、プロドラッグおよびその溶媒和物。
【請求項４】
(ａ) 請求項１に記載のプロドラッグ、またはその溶媒和物；および
(ｂ) 少なくとも一つの医薬上許容しうる担体、賦形剤または希釈剤；
を含む医薬組成物。
【請求項５】
さらにベータ−ラクタム抗生物質を含む、請求項４に記載の医薬組成物。
【請求項６】
ベータ−ラクタム抗生物質がアモキシシリンである、請求項５に記載の医薬組成物。
【請求項７】
プロドラッグが、４−チア−１−アザビシクロ[３.２.０]ヘプタン−２−カルボン酸，６−(ヒドロキシメチル)−３,３−ジメチル−７−オキソ−，(１Ｒ)−１−(ベンゾイルオキシ)エチルエステル，４,４−ジオキシド(２Ｓ,５Ｒ,６Ｒ)またはその溶媒和物である、請求項６に記載の医薬組成物。
【請求項８】
(ａ) ４−チア−１−アザビシクロ[３.２.０]ヘプタン−２−カルボン酸，６−(ヒドロキシメチル)−３,３−ジメチル−７−オキソ−，(１Ｒ)−１−(ベンゾイルオキシ)エチルエステル，４,４−ジオキシド(２Ｓ,５Ｒ,６Ｒ)またはその溶媒和物、
(ｂ) アモキシシリン、および
(ｃ) 医薬上許容しうる担体、賦形剤または希釈剤
を含む医薬組成物。
【請求項９】
有効量のベータ−ラクタム抗生物質および有効性を高める量の請求項１に記載のプロドラッグまたはその溶媒和物を含有する、哺乳動物における細菌感染症の治療のための医薬。
【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
（ａ）ボディケア製品、家庭用品、織物材料又は織物、並びに
（ｂ）（ｉ）式（Ｉ）のヒンダードニトロキシル化合物、
（ii）式（II）のヒンダードヒドロキシルアミン化合物、及び
（iii）式（III）のヒンダードヒドロキシルアミン塩化合物
【化１】
2005539100.tif 000001
［式中、
Ｇ1及びＧ2は、独立して炭素原子数１〜４のアルキルであるか、又は一緒になってペンタメチレンであり、
Ｚ1及びＺ2は、それぞれメチルであるか、又はＺ1及びＺ2は、一緒になってエステル、エーテル、ヒドロキシ、オキソ、シアノヒドリン、アミド、アミノ、カルボキシ若しくはウレタン基により更に置換されてもよい結合部分を形成し、
Ｘは、無機又は有機の陰イオン、例えばホスファート、ホスホナート、カルボナート、ビカルボナート、ニトラート、クロリド、ブロミド、ビスルフィット、スルフィット、ビスルファート、スルファート、ボラート、ホルマート、アセタート、ベンゾアート、シトラート、オキサラート、タルトラート、アクリラート、ポリアクリラート、フマラート、マレアート、イタコナート、グリコラート、グルコナート、マラート、マンデラート、チグラート、アスコルバート、ポリメタクリラート；ニトリロ三酢酸、ヒドロキシエチルエチレンジアミン三酢酸、エチレンジアミン四酢酸若しくはジエチレントリアミン五酢酸のカルボキシラート；ジエチレントリアミンペンタメチレンホスホナート、アルキルスルホナート又はアリールスルホナートであり、そして
式中、陽イオンｈの全電荷は、陰イオンｊの全電荷に等しい］からなる群から選択される少なくとも一つの化合物の有効安定化量
を含む安定化組成物。
【請求項２】
更に（ｃ）紫外線吸収剤、酸化防止剤、トコフェロール、トコフェロールアセタート、ヒンダードアミン光安定剤、錯体形成剤、蛍光増白剤、界面活性剤及びポリオルガノシロキサンからなる群から選択される少なくとも一つの化合物を含む、請求項１記載の組成物。
【請求項３】
請求項１記載の式（Ｉ）、（II）及び（III）の少なくとも一つの化合物をその中に組み込むこと又そこに塗布することを含む、ボディケア製品、家庭用品、織物材料又は織物を安定化させる方法。
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
（ａ）アニオン性、非イオン性、両性及びカチオン性の界面活性剤並びにそれらの混合物から選択された界面活性剤と、
（ｂ）増粘剤と、
（ｃ）０．０５から１０ミリメートルの直径を有している０．１から２５重量％のオルガノゲル粒子と、
を含み、前記オルガノゲル粒子が７５℃で液体である有益物質と２５℃で固体であるゲル化剤とを含み、ゲル化剤が粒子の全重量の０．０５から７０重量％の範囲であり、混合物の凝固またはゲル化温度が２５℃以上であり、
（ｄ）オルガノゲル粒子非含有で測定した洗浄組成物の粘度が２５℃、１／秒の剪断速度で１，０００から３００，０００ｃｐｓの範囲である等方性液体洗浄組成物。
【請求項２】
１から５００ミクロンの範囲の重量平均粒度を有している遊離皮膚緩和剤を更に含む請求項１に記載の組成物。
【請求項３】
３０重量％を上回る水を更に含む請求項１または２に記載の組成物。
【請求項４】
オルガノゲル粒子中のゲル化剤が、固体有機化合物、ワックス及びポリマー並びにそれらの混合物から選択された有機化合物を含む請求項１から３のいずれか一項に記載の組成物。
【請求項５】
有益物質が２５℃で液体である油を含む請求項１から４のいずれか一項に記載の組成物。
【請求項６】
有益物質が２５℃で固体である請求項１から５のいずれか一項に記載の組成物。
【請求項７】
オルガノゲル粒子が０．１から３ｍｍの範囲の平均粒径を有しており、ゲル化剤が粒子の全重量の０．５から５０重量％の範囲である請求項１から６のいずれか一項に記載の組成物。
【請求項８】
オルガノゲル粒子が０．１から１．０ミリメートルの範囲の平均粒径を有しており、ゲル化剤が粒子の全重量の０．５から４０重量％の範囲である請求項７に記載の組成物。
【請求項９】
オルガノゲル粒子が０．１から２ミリメートルの範囲の平均粒径を有しており、ゲル化剤が粒子の全重量の０．５から３０重量％の範囲である請求項７に記載の組成物。
【請求項１０】
オルガノゲル粒子が非球形である請求項１から９のいずれか一項に記載の組成物。
【請求項１１】
ゲル化剤が、有益物質から形成されたオルガノゲル粒子内部で固体ゲル化剤のネットワークを形成する請求項１から１０のいずれか一項に記載の組成物。
【請求項１２】
オルガノゲル粒子がゲル化剤の濃度勾配を含んでおり、オルガノゲル粒子のコアよりも粒子の表面でゲル化剤の濃度が高い請求項１から１１のいずれか一項に記載の組成物。
【請求項１３】
オルガノゲル粒子非含有で測定した洗浄組成物の粘度が５，０００から５０，０００ｃｐｓの範囲である請求項１から１２のいずれか一項に記載の組成物。
【請求項１４】
１重量％未満の固体セッケンを含む請求項１から１３のいずれか一項に記載の組成物。
【請求項１５】
皮膚緩和剤を基準として１から５０重量％の量の増粘剤が遊離皮膚緩和剤に添加されている請求項２から１４のいずれか一項に記載の組成物。
【請求項１６】
増粘剤が、ポリアクリレート、シリカ、天然及び合成のワックス、ケイ酸アルミニウム、ラノリン誘導体、Ｃ８−Ｃ２０脂肪アルコールポリエチレンコポリマー、ポリアンモニウムカルボキシレート、スクロースエステル、疎水性クレー、ペトロラタム、ハイドロタルサイト、セルロース誘導体、多糖誘導体及びそれらの混合物から選択される請求項１から１５のいずれか一項に記載の組成物。
【請求項１７】
組成物が、膨潤性クレー、架橋ポリアクリレート、アクリレートホモポリマー及びコポリマー、ポリビニルピロリドンホモポリマー及びコポリマー、ポリエチレンイミン、無機塩、スクロースエステル及びゲル化剤及びそれらの混合物から選択された構造化剤で構造化されている請求項１から１６のいずれか一項に記載の組成物。
【請求項１８】
有益物質が、植物油、エステル、動物性脂肪、鉱油、ペトロラタム、シリコーン油及びそれらの混合物から選択される請求項１から１７のいずれか一項に記載の組成物。
【請求項１９】
０．１から１５重量％の遊離皮膚緩和剤を含む請求項２から１８のいずれか一項に記載の組成物。
【請求項２０】
遊離皮膚緩和剤が組成物で手入れした皮膚に皮膚有益物質を配給する担体として機能する請求項２から１９のいずれか一項に記載の組成物。
【請求項２１】
１から３５重量％の界面活性剤を含む請求項１から２０のいずれか一項に記載の組成物。
【請求項２２】
少なくとも７重量％の界面活性剤を含む請求項２１に記載の組成物。
【請求項２３】
ベタイン、アミドベタイン及びスルホベタイン並びにそれらの混合物から選択された構造化助剤を含む請求項１から２２のいずれか一項に記載の組成物。
【請求項２４】
（ａ）アニオン性、非イオン性、両性及びカチオン性の界面活性剤並びにそれらの混合物から選択された少なくとも１種類の界面活性剤を含む第一組成物を形成する段階と、
（ｂ）遊離皮膚緩和剤を基準として１から５０重量％の量の増粘剤を遊離皮膚緩和剤に添加する段階と、
（ｃ）段階（ａ）の第一配合物と段階（ｂ）の遊離皮膚緩和剤とを混合する段階と、
（ｄ）第一組成物、増粘剤またはそのブレンドに０．０５から１０ミリメートルの直径のオルガノゲル粒子を０．１から２５重量％の量で添加する段階と、
を含み、前記オルガノゲル粒子が７５℃で液体である有益物質と２５℃で固体であるゲル化剤とを含み、ゲル化剤が粒子の全重量の０．０５から７０重量％の範囲であり、混合物の凝固またはゲル化温度が２５℃以上である請求項２から２３のいずれか一項に記載の組成物の製造方法。
【請求項２５】
組成物が１重量％未満の固体セッケンを含む請求項２４に記載の方法。
【請求項２６】
（ａ）１．アニオン性、非イオン性、両性及びカチオン性の界面活性剤並びにそれらの混合物から選択された界面活性剤と、
２．増粘剤と、
３．０．０５から１０ミリメートルの直径を有している０．１から２５重量％のオルガノゲル粒子と、
を含む洗浄組成物に有益物質を供給する段階と、および
（ｂ）前記洗浄組成物を皮膚または毛髪に塗布する段階と、
を含むことから成り、
前記オルガノゲル粒子が７５℃で液体である有益物質と２５℃で固体であるゲル化剤とを含み、ゲル化剤が粒子の全重量の０．０５から７０重量％の範囲であり、混合物の凝固またはゲル化温度が２５℃以上である、
等方性液体洗浄組成物から有益物質を付着させるための方法。
【請求項２７】
組成物が１重量％未満の固体セッケンを含む請求項２６に記載の方法。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
式Ｉ
【化１】
2005539099.tif 000001
〔式中、
ａは、０、１又は２であり、
Ｒ1は、水素、飽和若しくは不飽和Ｃ1−Ｃ30炭化水素基又はトリメチルシリルオキシ基であり、そして
Ｚは、式III
【化２】
2005539099.tif 000002
（式中、
Ｒ3及びＲ4は、独立に水素、Ｃ1−Ｃ20アルキル、Ｃ2−Ｃ20アルケニル、Ｃ3−Ｃ10シクロアルキル又はＣ3−Ｃ10シクロアルケニルであるか、又はＲ3とＲ4は、それらが結合している窒素原子と一緒になって５〜６員環を形成し、
Ｘは、−Ｏ−又は−ＮＲ5−であり、ここでＲ5は、水素、Ｃ1−Ｃ20アルキル、Ｃ2−Ｃ20アルケニル、Ｃ3−Ｃ10シクロアルキル又はＣ3−Ｃ10シクロアルケニルであり、そして
Ｙは、二価のＣ3−Ｃ12アルキレン又はアルケニレン鎖である）
のアミノ置換されたヒドロキシベンゾフェノンである〕
の単位、及び場合により式II
【化３】
2005539099.tif 000003
〔式中、
ｂは、０、１、２、３であり、そして
Ｒ2は、水素、飽和若しくは不飽和Ｃ1−Ｃ30炭化水素基又はトリメチルシリルオキシ基である〕
の単位を含むオルガノシリコーン化合物。
【請求項２】
式IVａの１つの構造単位及び式IVｂの１つの構造単位、
【化４】
2005539099.tif 000004
ｓ個の式IVｃの単位
【化５】
2005539099.tif 000005
並びにｒ個の式IVｄの単位
【化６】
2005539099.tif 000006
〔式中、
Ｚは、請求項１で定義したとおりであり、
Ｒ1、Ｒ6、Ｒ7、Ｒ8、Ｒ9、Ｒ10及びＲ11は、独立にＲ2について請求項１で定義したとおりであり、
Ｂ及びＢ′は、独立に基Ｚ又は基Ｒ2であり、
ｒは、０〜２００の整数であり、そして
ｓは、０〜５０の整数であり、ここでｓが０であるときは、少なくともＢ又はＢ′は、Ｚである〕
を含む直鎖状ジオルガノシロキサンポリマー。
【請求項３】
式VI
【化７】
2005539099.tif 000007
〔式中、
ａは、０、１又は２であり、
Ｒ１は、水素、飽和若しくは不飽和Ｃ1−Ｃ30炭化水素基又はトリメチルシリルオキシ基である〕
の単位、及び場合により請求項１記載の式IIの単位を含むオルガノシリコーン化合物を、式VII
【化８】
2005539099.tif 000008
〔式中、Ｒ3、Ｒ4及びＸは請求項１で定義したとおりであり、そしてＹ′は請求項１におけるＹと同じ意味を有するが、末端が二重結合又は三重結合である〕
の化合物と反応させること（ヒドロシリル化）を含む請求項１記載のオルガノシリコーン化合物の製造方法。
【請求項４】
化粧用に許容される助剤及び添加剤と共に請求項１のオルガノシリコーン化合物を含む化粧用組成物。
【請求項５】
ＵＶＡ照射が引き起こすか又は関係している損傷に対してヒトの毛髪及び／又は皮膚を保護するための請求項１のオルガノシリコーン化合物を含む化粧用組成物。
【請求項６】
有効量の請求項１のオルガノシリコーン化合物を局所的に適用することを含む、ＵＶＡ照射が引き起こすか又は関係している損傷に対してヒトの毛髪及び／又は皮膚を保護するための方法。
【請求項７】
ＵＶＡ照射が引き起こすか又は関係している損傷に対してヒトの毛髪及び／又は皮膚を保護するための請求項１のオルガノシリコーン化合物の使用。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
５°と１０°の間の２θ回折角の範囲で、少なくとも２つの回折線が、９．３±０．２°および９．９±０．２°の回折角２θで存在し、最も強い回折線が、９．３±０．２°の２θのものであり、他方の回折線の強度が、最も強い回折線の強度の０．４倍よりも低い明細書で記載した条件で撮ったＸ線回折スペクトルで特徴付けられた、ＭｇＣｌ2・ｍＥｔＯＨ・ｎＨ2Ｏ（式中、３．４＜ｍ≦４．４、０≦ｎ≦７）付加物。
【請求項２】
３．８＜ｍ≦４．２および０≦ｎ≦４である請求項１に記載の付加物。
【請求項３】
９．９±０．２°の回折角２θでのピークの強度が、最も強い回折線の強度の０．３倍より低い請求項２に記載の付加物。
【請求項４】
遷移金属化合物と請求項１〜３のいずれか１つに記載の付加物との反応産物からなるオレフィン重合用の触媒成分。
【請求項５】
遷移金属化合物と付加物との反応を、電子供与体化合物の存在下で行う請求項４に記載の触媒成分。
【請求項６】
請求項４又は５に記載の触媒成分と有機アルミニウム化合物との反応産物からなるオレフィン重合用触媒。
【請求項７】
請求項６に記載の触媒の存在下で行われる、式ＣＨ2＝ＣＨＲ（Ｒは水素または１〜１２の炭素原子を有する炭化水素基である）のオレフィンの重合の方法。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
少なくとも１種のアデノシンA2A受容体アンタゴニストを含有するレストレスレッグス症候群（restless legs syndrome）の治療剤。
【請求項２】
アデノシンA2A受容体アンタゴニストがキサンチン誘導体またはその薬理学的に許容される塩である請求項１記載のレストレスレッグス症候群の治療剤。
【請求項３】
キサンチン誘導体が以下の式（I）：
【化１】
2005539050.tif 000001
式中、R1、R2およびR3は独立して水素、低級アルキル、低級アルケニルまたは低級アルキニルを表し、R4はシクロアルキル、−(CH2)n−R5（式中、R5は置換もしくは非置換のアリールまたは置換もしくは非置換の複素環基を表し、nは0〜4の整数である）または
【化２】
2005539050.tif 000002
｛式中、Y1およびY2は独立して水素、ハロゲンまたは低級アルキルを表し、Zは置換もしくは非置換のアリールまたは
【化３】
2005539050.tif 000003
（式中、R6は水素、ヒドロキシ、低級アルキル、低級アルコキシ、ハロゲン、ニトロまたはアミノを表し、mは1〜3の整数を表す）を表す｝を表し、X1およびX2は独立してOまたはSを表す
で表される請求項２記載のレストレスレッグス症候群の治療剤。
【請求項４】
キサンチン誘導体が以下の式（I-A）：
【化４】
2005539050.tif 000004
式中、R1aおよびR2aは独立してメチルまたはエチルを表し、R3aは水素または低級アルキルを表し、Zaは、
【化５】
2005539050.tif 000005
（式中、R7、R8およびR9のうち少なくとも1つは低級アルキルまたは低級アルコキシを表
し、その他は水素を表し、R10は水素または低級アルキルを表す）または
【化６】
2005539050.tif 000006
（式中、R6およびmはそれぞれ前記と同義である）
で表される請求項２記載のレストレスレッグス症候群の治療剤。
【請求項５】
キサンチン誘導体が（Ｅ）−８−（３，４−ジメトキシスチリル）−１，３−ジエチル−７−メチルキサンチンである請求項２記載のレストレスレッグス症候群の治療剤。
【請求項６】
少なくとも１種のアデノシンA2A受容体アンタゴニストを含有する夜間ミオクローヌス（nocturnal myoclonus）の治療剤。
【請求項７】
請求項２〜５のいずれかに記載のキサンチン誘導体またはその薬理学的に許容される塩を含有する夜間ミオクローヌスの治療剤。
【手続補正２】
【補正対象書類名】明細書
【補正対象項目名】発明の名称
【補正方法】変更
【補正の内容】
【発明の名称】行動障害治療剤
【手続補正３】
【補正対象書類名】明細書
【補正対象項目名】０１２２
【補正方法】変更
【補正の内容】
【０１２２】
本発明のいくつかの実施の形態を以下の例において説明する。
実施例１：錠剤
次の組成の錠剤を従来の方法で調製する。
化合物A（40g）を286.8gのラクトースおよび60gのジャガイモデンプンと混合し、続いて、120gの10%ヒドロキシプロピルセルロース水溶液の添加を行う。得られた混合物を混練し、造粒した後、従来の方法により乾燥させる。この顆粒を精製し、錠剤を作製するのに用いる顆粒を得る。顆粒を1.2ｇのステアリン酸マグネシウムと混合した後、混合物を、8mm径の乳棒を備えた錠剤製造機（RT-15型，菊水）を用いて、それぞれが20mgの有効成分を含む錠剤に成形する。
【手続補正４】
【補正対象書類名】明細書
【補正対象項目名】０１２３
【補正方法】変更
【補正の内容】
【０１２３】
この処方を表２に示す。
表２                      
化合物A                         ２０    ｍｇ
ラクトース                    １４３．４ｍｇ
ジャガイモデンプン              ３０    ｍｇ
ヒドロキシプロピルセルロース      ６    ｍｇ
ステアリン酸マグネシウム          ０．６ｍｇ  
２００    ｍｇ
実施例２：カプセル剤
次の組成のカプセル剤を従来の方法で調製する。
【手続補正５】
【補正対象書類名】明細書
【補正対象項目名】０１２４
【補正方法】変更
【補正の内容】
【０１２４】
化合物A（200g）を995gのアビセル（Avicel）および5gのステアリン酸マグネシウムと混合する。混合物を、カプセル充填機（LZ-64型，Zanashi）を用いて、それぞれが120mgの容量を有する硬カプセルNo.4の中に入れ、それぞれの有効成分を含むカプセル剤を得る。
この処方を表３に示す。
【手続補正６】
【補正対象書類名】明細書
【補正対象項目名】０１２５
【補正方法】変更
【補正の内容】
【０１２５】
表３
化合物A                         ２０    ｍｇ
アビセル                        ９９．５ｍｇ
ステアリン酸マグネシウム          ０．５ｍｇ  
１２０    ｍｇ
実施例３：注射剤
次の組成の注射剤を従来の方法で調製する。
【手続補正７】
【補正対象書類名】明細書
【補正対象項目名】０１２６
【補正方法】変更
【補正の内容】
【０１２６】
化合物A（1g）を100gの精製大豆油に溶かし、続いて、12gの精製卵黄レシチンおよび25gの注射用グリセリンの添加を行う。得られた混合物を注射用蒸留水で最大1,000mlにし、十分に混合し、従来の方法により乳化させる。得られた分散液を0.2μmの使い捨て薄膜フィルター を用いて、無菌濾過に付した後、2ml分量で、ガラスバイアル中に無菌状態で入れ、各バイアルが2mgの有効成分を含む注射剤を得る。
【手続補正８】
【補正対象書類名】明細書
【補正対象項目名】０１２７
【補正方法】変更
【補正の内容】
【０１２７】
この処方を表４に示す。
表４
化合物A                           ２      ｍｇ
精製大豆油                    ２００      ｍｇ
精製卵黄レシチン                ２４      ｍｇ
注射用グリセリン                ５０      ｍｇ
注射用蒸留水                      １．７２ｍｌ  
２．００ｍｌ